(57)【特許請求の範囲】
【請求項１】
建造物の真下のエリア（以下、“浄化エリア”とする）の土壌を浄化する土壌浄化システムにおいて、
土壌中に浄化剤を注入するように前記浄化エリアの一側に並設されてなる複数の注入手段と、
先端部分に揚水口を有すると共に該先端部分が土壌中に埋設された状態で前記浄化エリアの他側に並設されてなる複数の揚水管と、
該複数の揚水管に連結されて前記揚水口から地下水を揚水するように構成された揚水ポンプと、
を備え、
前記複数の揚水管が並設されて形成された列を“揚水管列”とした場合に、
該揚水管列の端部付近に配置される揚水管は、該揚水管列の中央部付近に配置される揚水管に比べて前記注入手段に近い位置に配置されてなる、
ことを特徴とする土壌浄化システム。
【請求項２】
前記揚水管列は、端部付近が前記注入手段に近くなり中央部付近が前記注入手段から遠くなるような円弧状を呈する、
ことを特徴とする請求項１に記載の土壌浄化システム。
【請求項３】
前記浄化エリアの端部であって前記揚水管列の端部に近接する部分が角部を呈する場合に、該角部を形成する２つの辺に沿うように前記揚水管が配置されてなる、
ことを特徴とする請求項１又は２に記載の土壌浄化システム。
【請求項４】
前記揚水管列の中央部付近における揚水管どうしの離間距離は、該揚水管列の端部付近における揚水管どうしの離間距離よりも小さくなるように設定された、
ことを特徴とする請求項１乃至３のいずれか１項に記載の土壌浄化システム。
【発明の詳細な説明】
【技術分野】
【０００１】
本発明は、土壌中に浄化剤を注入する注入手段等を備えた土壌浄化システムに関する。
【背景技術】
【０００２】
従来、ＶＯＣ（揮発性有機化合物）などにより汚染された土壌を浄化する土壌浄化システムについては種々のものが提案されている（例えば、特許文献１，２及び非特許文献１参照）。
【０００３】
図５は、土壌浄化システムの従来構成の一例を示す模式図（側面図）であり、符号１０２は、微生物の栄養源を含んだ液体（栄養塩水）を土壌に圧入する注入手段（スパージング井戸）を示し、符号１０３は、地下水を揚水するための揚水井戸を示している。この注入手段１０２から土壌に前記栄養塩水が圧入されると、土壌に生息している微生物が活性化し、汚染物質の分解が行われる。そして、汚染地下水は、ポンプ１０４を作動させることにより前記揚水井戸１０３から揚水され、送水管１０５を経由して水処理装置１０６に送られるようになっている。
【先行技術文献】
【特許文献】
【０００４】
【特許文献１】特許第４３９８６９９号公報
【特許文献２】特許第３５２８１２０号公報
【非特許文献】
【０００５】
【非特許文献１】大成建設株式会社、“注水バイオスパージング工法”、［online］、［平成27年2月17日検索］、インターネット〈http://www.taisei.co.jp/MungoBlobs/626/760/K00B90.pdf〉
【発明の概要】
【発明が解決しようとする課題】
【０００６】
ところで、建造物（例えば、工場や家屋や倉庫やタンクなどの建築物や建物など）が構築されているエリアでは該建造物自体が障害となって上述した注入手段１０２や揚水井戸１０３を地中に設置することができず、図５に示す土壌浄化システム１０１は使用できないという問題があった。
【０００７】
本発明は、上述の問題を解消することのできる土壌浄化システムを提供することを目的とするものである。
【課題を解決するための手段】
【０００８】
請求項１に係る発明は、図１（ａ）（ｂ）に例示するものであって、建造物（Ｄ）の真下のエリア（符号Ａ１参照。以下、“浄化エリア”とする）の土壌を浄化する土壌浄化システム（１）において、
土壌中に浄化剤を注入するように前記浄化エリア（Ａ１）の一側に並設されてなる複数の注入手段（２，…）と、
先端部分（３ａ）に揚水口（３ｂ）を有すると共に該先端部分（３ａ）が土壌中に埋設された状態で前記浄化エリア（Ａ１）の他側に並設されてなる複数の揚水管（３，…）と、
該複数の揚水管（３，…）に連結されて前記揚水口（３ｂ）から地下水を揚水するように構成された揚水ポンプ（４）と、
を備え、
前記複数の揚水管（３，…）が並設されて形成された列（Ｂ１）を“揚水管列”とした場合に、
該揚水管列（Ｂ１）の端部付近（ＢＥ）に配置される揚水管（３Ｅ，…）は、該揚水管列（Ｂ１）の中央部付近（ＢＦ）に配置される揚水管（３Ｆ，…）に比べて前記注入手段（２，…）に近い位置に配置されてなることを特徴とする。
【０００９】
請求項２に係る発明は、図２（ａ）に例示するものであって、請求項１に係る発明において、前記揚水管列（同図（ａ）の符号Ｂ２参照）は、端部付近（ＢＥ）が前記注入手段（２，…）に近くなり中央部付近（ＢＦ）が前記注入手段（２，…）から遠くなるような円弧状を呈することを特徴とする。
【００１０】
請求項３に係る発明は、図２（ｂ）〜（ｄ）に例示するものであって、請求項１又は２に係る発明において、前記浄化エリア（Ａ１，Ａ２）の端部（Ｈ）であって前記揚水管列（Ｂ１，Ｂ３，Ｂ４）の端部（ＢＥ）に近接する部分（Ｈ）が角部を呈する場合に、該角部（Ｈ）を形成する２つの辺に沿うように前記揚水管（３Ｅ，…）が配置されてなることを特徴とする。
【００１１】
請求項４に係る発明は、図２（ａ）に例示するものであって、請求項１乃至３のいずれか１項に記載の発明において、前記揚水管列（Ｂ２）の中央部付近（ＢＦ）における揚水管（３Ｆ，…）どうしの離間距離が、該揚水管列（Ｂ２）の端部付近（ＢＥ）における揚水管（３Ｅ，…）どうしの離間距離よりも小さくなるように設定されたことを特徴とする。
【００１２】
なお、括弧内の番号などは、図面における対応する要素を示す便宜的なものであり、従って、本記述は図面上の記載に限定拘束されるものではない。
【発明の効果】
【００１３】
請求項１乃至４に係る発明によれば、前記揚水管や前記注入手段は前記浄化エリアの外側に配置すれば足りるので、建造物の直下のエリアであっても土壌浄化を行うことができる。
【図面の簡単な説明】
【００１４】
【図１】図１（ａ）は、本発明に係る土壌浄化システムの構成の一例を示す側面図であり、同図（ｂ）は、その平面図である。
【図２】図２（ａ）〜（ｄ）は、揚水管等の配置態様の変形例を示す平面図である。
【図３】図３（ａ）〜（ｃ）は、本発明の効果を説明するための模式図である。
【図４】図４（ａ）〜（ｅ）は、揚水管等の配置態様の変形例を示す平面図である。
【図５】図５は、土壌浄化システムの従来構成の一例を示す模式図（側面図）である。
【発明を実施するための形態】
【００１５】
以下、図１乃至図４に沿って、本発明の実施の形態について説明する。
【００１６】
本発明に係る土壌浄化システムは、図１（ａ）（ｂ）に符号１で例示するように、建造物Ｄの真下のエリア（以下、“浄化エリア”とする）Ａ１の土壌を浄化するためのものであり、
・  土壌中に浄化剤（酸化剤、還元剤、微生物分解用の栄養剤、微生物製剤等）を注入するように（前記浄化エリアＡ１の外側で）前記浄化エリアＡ１の一側に沿うように並設されてなる複数の注入手段２，…と、
・  先端部の近傍部分（以下、“先端部分”とする）３ａに揚水口（ウェルポイント）３ｂを有すると共に該先端部分３aが土壌中に埋設された状態で（前記浄化エリアＡ１の外側で）前記浄化エリアＡ１の他側に沿うように並設されてなる複数の揚水管３，…と、
・  該複数の揚水管３，…に連結されて前記揚水口３ｂから地下水を揚水するように構成された揚水ポンプ（真空ポンプ）４と、
を備えている。そして、該揚水ポンプ４によって前記揚水管３の揚水口３ｂから地下水が汲み上げられることにより、前記注入手段２が配置された側から該揚水管３が配置された側へ前記浄化エリアＡ１を横断するような地下水流Ｃを生じさせるように構成されている。その結果、前記注入手段２から注入された浄化剤はこの地下水流Ｃによって前記浄化エリアＡ１に拡散され浸透されることとなる。なお、前記揚水口３ｂを埋設する深さは５ｍよりも浅くすると良い。また、前記複数の揚水管３，…と前記揚水ポンプ４とはパイプ部材（ヘッドパイプ）５で連結すると良い。さらに、該揚水ポンプ４には水処理設備６を連結しておいて、揚水した地下水の浄化処理を行うようにすると良い。またさらに、前記注入手段２としては、注入井戸などの公知の手段を挙げることができる。
【００１７】
ここで、前記複数の揚水管３，…が並設されて形成された列Ｂ１を“揚水管列”とした場合に、該揚水管列Ｂ１の端部付近ＢＥに配置される揚水管３Ｅ，…は、該揚水管列Ｂ１の中央部付近ＢＦに配置される揚水管３Ｆ，…に比べて前記注入手段２に近い位置に（つまり、図１（ｂ）においては右側に）配置されてなるようにすると良い。例えば、図２（ａ）に例示するように、前記揚水管列Ｂ２を、端部付近ＢＥが前記注入手段２に近くなり中央部付近ＢＦが前記注入手段２から遠くなるような円弧状を呈するようにすると良い。また、同図（ｂ）〜（ｄ）に例示するように、前記浄化エリアＡ１，Ａ２の端部Ｈであって前記揚水管列Ｂ１，Ｂ３，Ｂ４の端部ＢＥに近接する部分Ｈが角部を呈する場合には、該揚水管列Ｂ１，Ｂ３，Ｂ４の端部付近ＢＥに配置する揚水管３Ｅ，…は該角部Ｈの２つの辺に沿うように配置すると良い。以下、これらの配置態様について説明する。
【００１８】
＜揚水管の配置態様（１）＞
いま、図３（ａ）に例示するように、揚水する箇所３を１箇所とした場合には、前記注入手段２を通過する地下水は該箇所３に集まるように流れることとなり（矢印Ｃ１参照）、浄化剤は浄化エリアＡ１の角部Ｈには浸透せず、該角部Ｈの土壌の浄化は行われないこととなる。なお、符号Ｇで示す曲線は等水位曲線であり、該等水位曲線に直交する方向に地下水は流れることを示している。一方、同図（ｂ）に例示するように、前記複数の揚水管３，…を１列に（直線上に）配置した場合には、地下水は比較的広いエリアで分散して流れるが（矢印Ｃ２参照）、浄化剤は浄化エリアＡ１の角部Ｈには浸透せず、該角部Ｈの土壌の浄化は行われないこととなる。これに対し、同図（ｃ）に例示するように、端部付近ＢＥの揚水管３Ｅ，…が前記注入手段２に近くなり中央部付近ＢＦの揚水管３Ｆ，…が前記注入手段２から遠くなるような円弧状を呈するように揚水管列Ｂ４を配置した場合には、地下水はさらに広いエリアに分散して流れることとなり（矢印Ｃ３参照）、浄化剤は浄化エリアＡ１の角部Ｈにも浸透して該角部Ｈの土壌浄化が行われる。
【００１９】
＜揚水管の配置態様（２）＞
一方、前記浄化エリア（図２（ｂ）乃至（ｄ）の符号Ａ１，Ａ２参照）の端部Ｈであって前記揚水管列Ｂ１，Ｂ３，Ｂ４の端部ＢＥに近接する部分Ｈが角部を呈する場合には、該揚水管列Ｂ１，Ｂ３，Ｂ４の端部付近ＢＥに配置する揚水管３Ｅ，…は該角部Ｈの２つの辺に沿うように配置すると良い。本発明者らが浸透流解析により確認したところ、前記複数の注入手段２から浄化剤は前記角部Ｈにも浸透して、該角部Ｈの土壌浄化が効果的に行われることが分かった。
【００２０】
本発明によれば、前記注入手段２，…から土壌中に注入された浄化剤は、前記揚水管３，…や前記揚水ポンプ４により引き起こされた地下水流によって前記浄化エリアＡ１，…に運ばれて該エリアＡ１，…の土壌中に浸透されることとなり、土壌の浄化が行われる。また、前記揚水管３，…や前記注入手段２，…は前記浄化エリアＡ１，…の外側に配置すれば足りるので、建造物Ｄの直下のエリアであっても土壌浄化を行うことができる。
【００２１】
＜注入手段を設置する間隔＞
ところで、前記浄化エリアＡ１，…における土壌の透水性がほぼ均一であれば、前記注入手段２，…は一定間隔で配置すれば良く、設置間隔は４〜６ｍ程度にすると良い。注入手段２から注入する浄化剤の浸透範囲は、該注入手段２を中心とするせいぜい半径２〜３ｍ程度の範囲に限定されるからである。
【００２２】
＜揚水管を設置する間隔＞
一方、図２（ａ）に例示するように、揚水管列Ｂ２の中央部付近ＢＦにおける揚水管３Ｆ，…どうしの離間距離は、該揚水管列Ｂ２の端部付近ＢＥにおける揚水管３Ｅ，…どうしの離間距離よりも小さくなるように設定すると良い。そのようにした場合には、該揚水管３Ｆと前記注入手段２との距離が離れていても前記揚水管列Ｂ２の中央部付近ＢＦに向けて地下水流を効果的に流すことができる。また、図４（ａ）（ｂ）（ｄ）（ｅ）  にて符号Ｊで示すように、前記注入手段２との距離が離れている部分における揚水管３の配置密度を高くすると良く、地盤の透水性が悪い部分があれば、同図（ｃ）にて符号Ｋで示すように揚水管３の配置密度を高くすれば良い。
【００２３】
なお、前記揚水管３と前記注入手段２との離間距離は２０〜３０ｍ以内にすると良い。
【符号の説明】
【００２４】
１                  土壌浄化システム
２，…              注入手段
３，…              揚水管
３ａ                揚水管の先端部分
３ｂ                揚水口
３Ｅ，…            揚水管列の端部付近の揚水管
３Ｆ，…            揚水管列の中央部付近の揚水管
４                  揚水ポンプ
Ａ１，…            浄化エリア
Ｂ１，…            揚水管列
ＢＥ                揚水管列の端部付近
ＢＦ                揚水管列の中央部付近
Ｄ                  建造物
Ｈ                  浄化エリアの角部
【図１】
0006418993.tif 000002
【図２】
0006418993.tif 000003
【図３】
0006418993.tif 000004
【図４】
0006418993.tif 000005
【図５】
0006418993.tif 000006